(57)【特許請求の範囲】
【請求項１】
２つ以上のキャリアを用いて無線基地局と通信を行う移動局であって、
前記２つ以上のキャリアは、間欠受信状態ではないキャリアと間欠受信状態であるキャリアとにより構成される場合に、
前記間欠受信状態ではないキャリアと通信を行う第１通信部と、
前記間欠受信状態であるキャリアと通信を行う第２通信部とを具備し、
前記第１通信部は、前記間欠受信状態であるキャリアのオン区間の前後の区間をデータの送受信を行わない区間とみなすように構成されていることを特徴とする移動局。
【請求項２】
前記第１通信部は、
前記間欠受信状態ではないキャリアにおいて、下りリンクの受信を行う第１下りリンク受信部と、
前記間欠受信状態ではないキャリアにおいて、上りリンクの送信を行う第１上りリンク送信部と、
前記間欠受信状態ではないキャリアにおいて、メジャメントを行う第１メジャメント部と、
前記間欠受信状態ではないキャリアにおいて、無線リンクのモニタリングを行う第１モニタリング部とを具備するように構成され、
前記第２通信部は、
前記間欠受信状態であるキャリアにおいて、下りリンクの受信を行う第２下りリンク受信部と、
前記間欠受信状態であるキャリアにおいて、上りリンクの送信を行う第２上りリンク送信部と、
前記間欠受信状態であるキャリアにおいて、メジャメントを行う第２メジャメント部と、
前記間欠受信状態であるキャリアにおいて、無線リンクのモニタリングを行う第２モニタリング部とを具備するように構成されていることを特徴とする請求項１に記載の移動局。
【請求項３】
前記間欠受信状態ではないキャリアとは、
間欠受信制御に関連するパラメータが設定されていない状態、あるいは、
間欠受信制御に関連するパラメータが設定され、かつ、間欠受信制御のためのタイマーが動作している状態、あるいは、
間欠受信制御に関連するパラメータが設定され、かつ、スケジューリングリクエストがペンディングされている状態、あるいは、
間欠受信制御に関連するパラメータが設定され、かつ、上りリンクのＨＡＲＱの再送タイミングである状態、あるいは、
間欠受信制御に関連するパラメータが設定され、かつ、指定されたプリアンブルに対するランダムアクセスリスポンスの受信の後に、自局宛の新規送信のための下りリンクの制御信号を受信していない状態、
の内の少なくとも１つの状態にあるキャリアであり、
前記間欠受信状態であるキャリアとは、上記以外の状態にあるキャリアであることを特徴とする請求項１に記載の移動局。
【請求項４】
前記第１通信部は、
前記オン区間の前後の区間において、前記間欠受信状態ではないキャリアにおける通信を行わないことを特徴とする請求項１に記載の移動局。
【請求項５】
前記第１上りリンク送信部は、
前記オン区間の前後の区間において、前記間欠受信状態ではないキャリアにおける上りリンクの送信を行わないことを特徴とする請求項２に記載の移動局。
【請求項６】
２つ以上のキャリアを用いて無線基地局と通信を行う移動局における通信制御方法であって、
前記２つ以上のキャリアは、間欠受信状態ではないキャリアと間欠受信状態であるキャリアとにより構成される場合に、
前記間欠受信状態ではないキャリアと通信を行う第１ステップと、
前記間欠受信状態であるキャリアと通信を行う第２ステップとを備え、
前記第１ステップにおいて、前記間欠受信状態であるキャリアのオン区間の前後の区間をデータの送受信を行わない区間とみなすように構成されていることを特徴とする通信制御方法。
【発明の詳細な説明】
【技術分野】
【０００１】
本発明は、移動局、無線基地局及び通信制御方法に関する。
【背景技術】
【０００２】
広帯域符号分割多重接続（ＷＣＤＭＡ（登録商標）：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡ（登録商標）の標準化団体３ＧＰＰで検討され、仕様化作業が行われた。
【０００３】
また、前記ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献１にまとめられている。
【０００４】
ＬＴＥ-ａｄｖａｎｃｅｄ方式では、その要求条件として、「キャリアアグリゲーション（Ｃａｒｒｉｅｒ  ａｇｇａｒｅｇａｔｉｏｎ）」を行うことが合意されている。「キャリアアグリゲーション」が行われる場合、移動局ＵＥは、同時に複数のキャリアを用いて下りリンクの信号を受信したり、同時に複数のキャリアを用いて上りリンクの信号を送信したりすることができる。キャリアアグリゲーションが行われる場合の各キャリアは、コンポーネントキャリア（Ｃｏｍｐｏｎｅｎｔ  Ｃａｒｒｉｅｒ）と呼ばれる。
【０００５】
前記複数のコンポーネントキャリアは、メインのキャリアであるプライマリコンポーネントキャリアと、それ以外のセカンダリコンポーネントキャリアとに分類される。
【０００６】
ここで、移動局ＵＥが、常時、プライマリコンポーネントキャリア及びセカンダリコンポーネントキャリアを用いて通信を行う場合、コンポーネントキャリアの数に比例して、消費電力が大きくなるという問題が存在する。ここで、プライマリコンポーネントキャリア及びセカンダリコンポーネントキャリアを用いて通信を行う、とは、通常のデータの送受信に加えて、各コンポーネントキャリアにおけるセルサーチやメジャメント、及び、無線リンクのモニタリング（Ｒａｄｉｏ  Ｌｉｎｋ  Ｍｏｎｉｔｏｒｉｎｇ）が含まれる。
【０００７】
尚、前記セルサーチとは、例えば、サービングセル及び隣接セルの下りリンクの同期信号（Ｓｙｎｃｈｒｏｎｉｚａｔｉｏｎ  Ｓｉｇｎａｌ）を用いて、下りリンクの同期を確立することを指す。前記セルサーチは、移動局ＵＥが移動している状態において、移動先のセルを検出する処理となるため、移動局ＵＥは、定期的にセルサーチを行う必要がある。前記メジャメントとは、例えば、サービングセル及び隣接セルのリファレンス信号の受信電力、より具体的には、ＲＳＲＰ（Ｒｅｆｅｒｅｎｃｅ  Ｓｉｇｎａｌｅ  Ｒｅｃｅｉｖｅｄ  Ｐｏｗｅｒ）等を測定することを指す。尚、セルサーチとメジャメントの処理を合わせて、メジャメントと呼ばれてもよい。また、前記無線リンクのモニタリングとは、サービングセルのリファレンス信号の無線品質、より具体的には、ＳＩＲ（Ｓｉｇｎａｌ−ｔｏ−Ｉｎｔｅｒｆｅｒｅｎｃｅ  Ｒａｔｉｏ）を測定し、前記ＳＩＲが、所要の閾値以上であるか否かを判定し、所要の閾値以下である場合に、当該サービングセルは同期外れ（Ｏｕｔ−ｏｆ−ｓｙｎｃｈｒｏｎｉｚａｔｉｏｎ）であると判定する処理のことを指す。前記セルサーチ及びメジャメント及び無線リンクのモニタリングに関する処理、及び、パフォーマンス規定は、例えば、非特許文献２、３に記載されている。
【０００８】
上述した消費電力の問題を改善するため、例えば、セカンダリコンポーネントキャリアにおいて、Ａｃｔｉｖａｔｉｏｎ／Ｄｅ−ａｃｔｉｖａｔｉｏｎという制御を適用することが考えられている。例えば、Ｄｅ−ａｃｔｉｖａｔｉｏｎの状態であるセカンダリコンポーネントキャリアに関しては、移動局ＵＥは、通常のデータの送受信を行わず、また、上述したセルサーチやメジャメント、無線リンクのモニタリングの処理に関しても、その頻度を低減することにより、バッテリーセービングを行う。上述したセカンダリコンポーネントキャリアのＤｅ−ａｃｔｉｖａｔｉｏｎに関する処理は、例えば、通信すべきデータ量が少ない場合等に行われる。
【０００９】
ところで、ＬＴＥにおいては、移動局のＵＥのバッテリーセービングを目的とした間欠受信（ＤＲＸ：Ｄｉｓｃｏｎｔｉｎｕｏｕｓ  Ｒｅｃｅｐｔｉｏｎ）制御が適用される（非特許文献４）。ＬＴＥにおける前記間欠受信制御は、無線基地局ｅＮＢと移動局ＵＥとが接続中であり、かつ、通信すべきデータが存在しない場合に適用され、間欠受信状態にある移動局ＵＥは、周期的に、すなわち、間欠的に、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介して送信される下り制御信号を受信するように構成されている。このＰＤＣＣＨを介して送信される下り制御信号を受信する時間は、Ｏｎ−ｄｕｒａｔｉｏｎ（ＯＮ区間、受信区間）と呼ばれる。上述したＣｅｌｌ  ｓｅａｒｃｈやＭｅａｓｕｒｅｍｅｎｔ、無線リンクのモニタリングに関しても、一般に、前記Ｏｎ−ｄｕｒａｔｉｏｎで行われる。かかる場合、移動局ＵＥは、全てのタイミングではなく、間欠的に、物理下りリンク制御チャネルＰＤＣＣＨを介して送信される下り制御信号を受信すればよく、間欠的に、前記セルサーチやメジャメント、無線リンクのモニタリングを行えばよいため、バッテリーの消費電力を低減することが可能となる。
【００１０】
より具体的には、移動局ＵＥは、図１に示すように、ＤＲＸ周期（図１の例では、１２８０ｍｓ）毎に設定される受信区間（図１の例では、５ｍｓ）においてのみ、物理下りリンク制御チャネルＰＤＣＣＨの受信やセルサーチ、メジャメント、無線リンクのモニタリング等を行い、それ以外の送受信機をＯＦＦとするように構成されている。その結果、移動局ＵＥにおいて、バッテリーの消費電力を低減することが可能となる。
【００１１】
また、ＬＴＥにおいては、異なる周波数のキャリアや異なる無線通信システムのキャリアのメジャメントを行うためのＭｅａｓｕｒｅｍｅｎｔ  ｇａｐが定義されている（非特許文献５）。前記Ｍｅａｓｕｒｅｍｅｎｔ  ｇａｐの大きさは、６ｍｓであり、また、その周期は、例えば、４０ｍｓや８０ｍｓが設定される。移動局ＵＥは、前記Ｍｅａｓｕｒｅｍｅｎｔ  ｇａｐの間、サービングセルとの通信を停止し、前記異なる周波数のキャリアや異なる無線通信システムのキャリアのメジャメントを行う。
【先行技術文献】
【非特許文献】
【００１２】
【非特許文献１】３ＧＰＰ  ＴＳ３６.９１３（Ｖ８.０.１）
【非特許文献２】３ＧＰＰ  ＴＳ３６.２１３  Ｖ８.８.０（２００９-０９）
【非特許文献３】３ＧＰＰ  ＴＳ３６.１３３  Ｖ８.７.０（２００９-０９）
【非特許文献４】３ＧＰＰ  ＴＳ３６.３２１  Ｖ８.７.０（２００９-０９）
【非特許文献５】３ＧＰＰ  ＴＳ３６.３３１  Ｖ８.８.０（２００９-１２）
【発明の概要】
【発明が解決しようとする課題】
【００１３】
上述したように、キャリアアグリゲーションを行う場合に、セカンダリコンポーネントキャリアに関して、Ｄｅ−ａｃｔｉｖａｔｉｏｎを適用することが考えられている。
【００１４】
この場合、移動局ＵＥは、通常の状態ではプライマリコンポーネントキャリアとのみ通信を行い、セカンダリコンポーネントキャリアにおいて上述のセルサーチやメジャメント、無線リンクのモニタリングを行う場合にのみ、プライマリコンポーネントキャリアとセカンダリコンポーネントキャリアの両方と通信を行うことになる。
【００１５】
しかしながら、移動局ＵＥは、図２及び図３に示すように、プライマリコンポーネントキャリアとのみ通信を行う場合と、プライマリコンポーネントキャリアとセカンダリコンポーネントキャリアの両方と通信を行う場合とで、受信機の中心周波数の切り替え等を行う必要がある。結果として、プライマリコンポーネントキャリアとのみ通信を行う状態と、プライマリコンポーネントキャリアとセカンダリコンポーネントキャリアの両方と通信を行う状態との切り替え時に、プライマリコンポーネントキャリアにおいてデータの送受信ができないという問題が存在する。ここで、前記データの送受信ができないとは、例えば、送受信を行うつもりのデータが欠落することを意味してもよい。
【００１６】
すなわち、移動局ＵＥは、１つの受信機を用いて、前記複数のコンポーネントキャリアを受信する場合には、受信するコンポーネントキャリアの数を変更する場合に、受信機の中心周波数の切り替え等が発生し、結果として、その切り替え時にデータの送受信ができないという問題が存在する。
【００１７】
尚、一般に、いつ移動局ＵＥがセルサーチやメジャメント、無線リンクのモニタリングを行うかは、移動局ＵＥの実装の依存するため、無線基地局ｅＮＢは、上述したデータの欠落がいつ発生するかを把握することはできない。
【００１８】
そこで、本発明は、上述の課題に鑑みてなされたものであり、キャリアアグリゲーション時において、バッテリーセービングを行いつつ、かつ、適切に、各コンポーネントキャリアのセルサーチやメジャメント等を行うことにより、システムの効率化、及び、接続性の安定性を実現することができる移動局、無線基地局及び通信制御方法を提供することを目的とする。
【課題を解決するための手段】
【００１９】
本発明の移動局は、
２つ以上のキャリアを用いて無線基地局と通信を行う移動局であって、
前記２つ以上のキャリアは、間欠受信状態ではないキャリアと間欠受信状態であるキャリアとにより構成される場合に、
前記間欠受信状態ではないキャリアと通信を行う第１通信部と、
前記間欠受信状態であるキャリアと通信を行う第２通信部とを具備し、
前記第１通信部は、前記間欠受信状態であるキャリアのオン区間の前後の区間をデータの送受信を行わない区間とみなすように構成されていることを特徴とする。
【発明の効果】
【００２０】
以上説明したように、本発明によれば、キャリアアグリゲーション時において、バッテリーセービングを行いつつ、かつ、適切に、各コンポーネントキャリアのセルサーチやメジャメント等を行うことにより、システムの効率化、及び、接続性の安定性を実現することができる移動局、無線基地局及び通信制御方法を提供することが可能になる。
【図面の簡単な説明】
【００２１】
【図１】従来の移動通信システムにおける間欠受信制御について説明するための図である。
【図２】プライマリコンポーネントキャリアとセカンダリコンポーネントキャリアの両方を受信する場合における受信機の中心周波数を示す図
【図３】プライマリコンポーネントキャリアのみを受信する場合における受信機の中心周波数を示す図
【図４】本発明の実施形態に係る移動通信システムにおけるコンポーネントキャリアについて説明するための図
【図５】本発明の実施形態に係る移動局及び無線基地局の動作を説明するための図（受信機切り替え区間の大きさが同じ場合）
【図６】本発明の実施形態に係る移動局及び無線基地局の動作を説明するための図（受信機切り替え区間の大きさが異なる場合）
【図７】本発明の実施形態に係る移動局のブロック図
【図８】本発明の実施形態に係る無線基地局のブロック図
【図９】本発明の実施形態に係る移動局における通信制御方法のフローチャート
【図１０】本発明の実施形態に係る移動局における通信制御方法のフローチャート
【図１１】本発明の実施形態に係る無線基地局における通信制御方法のフローチャート
【図１２】本発明の実施形態に係る無線基地局における通信制御方法のフローチャート
【図１３】本発明の変更例で用いられるＳＣＣ用メジャメント区間を示す図
【発明を実施するための形態】
【００２２】
（本発明の第１の実施形態に係る移動通信システムの構成）
以下、本発明の第１の実施形態に係る移動通信システムについて、図面を参照しつつ説明する。本実施形態を説明するための全図において、同一機能を有するものは同一符号を用い、繰り返しの説明は省略する。
【００２３】
本実施形態に係る移動通信システムは、例えば、ＬＴＥ-Ａｄｖａｎｃｅｄ方式が適用されるシステムである。すなわち、本実施形態に係る移動通信システムは、無線基地局ｅＮＢと、無線基地局ｅＮＢと通信する移動局ＵＥとを具備し、無線基地局ｅＮＢ及び移動局ＵＥは、ＬＴＥ-Ａｄｖａｎｃｅｄ方式を用いて、通信を行う。なお、移動局ＵＥは、ユーザ装置と呼ばれてもよい。
【００２４】
以下に、本実施形態に係る移動通信システムにおいて用いられる通信チャネルの説明を行う。
【００２５】
本実施形態に係る移動通信システムでは、下りリンクにおいて、各移動局ＵＥで共有される「物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）」及び「物理下りリンク制御チャネル（ＰＤＣＣＨ：Ｐｈｙｓｉｃａｌ  Ｄｏｗｎｌｉｎｇ  Ｃｏｎｔｒｏｌ  Ｃｈａｎｎｅｌ）」が用いられる。
【００２６】
「物理下りリンク共有チャネル（ＰＤＳＣＨ）」を介して、ユーザデータ、すなわち、通常のデータ信号が伝送される。
【００２７】
また、「物理下りリンク制御チャネル（ＰＤＣＣＨ）」を介して、「物理下りリンク共有チャネル（ＰＤＳＣＨ）」を用いて通信を行う移動局ＵＥのＩＤやユーザデータのトランスポートフォーマットの情報（すなわち、下りスケジューリング情報）や、「物理上りリンク共有チャネル（ＰＵＳＣＨ）」を用いて通信を行う移動局ＵＥのＩＤやユーザデータのトランスポートフォーマットの情報（すなわち、上りスケジューリンググラント）等の制御信号が通知される。
【００２８】
「物理下りリンク制御チャネル（ＰＤＣＣＨ）」は、「下りＬ１/Ｌ２制御チャネル（Ｄｏｗｎｌｉｎｋ  Ｌ１/Ｌ２  Ｃｏｎｔｒｏｌ  Ｃｈａｎｎｅｌ）」と呼ばれてもよい。また、「下りスケジューリング情報」や「上りスケジューリンググラント」は、まとめて、「下りリンク制御情報（ＤＣＩ：Ｄｏｗｎｌｉｎｋ  Ｃｏｎｔｒｏｌ  Ｉｎｆｏｒｍａｔｉｏｎ）」と呼ばれてもよい。
【００２９】
また、下りリンクにおいては、報知情報が、論理チャネルとしての「ＢＣＣＨ：Ｂｒｏａｄｃａｓｔ  Ｃｏｎｔｒｏｌ  Ｃｈａｎｎｅｌ」にマッピングされて送信される。
【００３０】
ここで、「ＢＣＣＨ」を介して送信される情報の一部は、トランスポートチャネルである「ＢＣＨ：Ｂｒｏａｄｃａｓｔ  Ｃｈａｎｎｅｌ」にマッピングされ、「ＢＣＨ」にマッピングされた情報は、物理チャネルである「Ｐ-ＢＣＨ：Ｐｈｙｓｉｃａｌ  Ｂｒｏａｄｃａｓｔ  Ｃｈａｎｎｅｌ」を介して、該当するセル内の移動局ＵＥに送信される。
【００３１】
また、「ＢＣＣＨ」を介して送信される情報の一部は、トランスポートチャネルである「ＤＬ-ＳＣＨ：Ｄｏｗｎｌｉｎｋ  Ｓｈａｒｅｄ  Ｃｈａｎｎｅｌ」にマッピングされ、「ＤＬ-ＳＣＨ」にマッピングされた情報は、物理チャネルである「物理下りリンク共有チャネル（ＰＤＳＣＨ）」を介して、該当するセル内の移動局ＵＥに送信される。
【００３２】
本実施形態に係る移動通信システムでは、上りリンクにおいて、各移動局ＵＥで共有して使用される「物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）」及び「物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）」が用いられる。
【００３３】
かかる「物理上りリンク共有チャネル（ＰＵＳＣＨ）」により、ユーザデータ、すなわち、通常のデータ信号が伝送される。
【００３４】
また、「物理上りリンク制御チャネル（ＰＵＣＣＨ）」により、「物理上りリンク共有チャネル（ＰＵＳＣＨ）」のスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、「物理上りリンク共有チャネル（ＰＵＳＣＨ）」における送達確認情報（Ａｃｋｎｏｗｌｅｄｇｅｍｅｎｔ  Ｉｎｆｏｒｍａｔｉｏｎ）が伝送される。
【００３５】
かかる下りリンクの品質情報は、「ＣＱＩ」や「ＰＭＩ（Ｐｒｅ-ｃｏｄｉｎｇ  Ｍａｔｒｉｘ  Ｉｎｄｉｃａｔｏｒ）」や「ＲＩ（Ｒａｎｋ  Ｉｎｄｉｃａｔｏｒ）」をまとめたインディケータである「ＣＳＩ（Ｃｈａｎｎｅｌ  Ｓｔａｔｅ  Ｉｎｄｉｃａｔｏｒ）」と呼ばれてもよい。
【００３６】
また、かかる送達確認情報の内容は、送信信号が適切に受信されたことを示す肯定応答（ＡＣＫ：Ａｃｋｎｏｗｌｅｄｇｅｍｅｎｔ）又は送信信号が適切に受信されなかったことを示す否定応答（ＮＡＣＫ：Ｎｅｇａｔｉｖｅ  Ａｃｋｎｏｗｌｅｄｇｅｍｅｎｔ）の何れかで表現される。
【００３７】
上述した、本実施形態に係る移動通信システムにおいて用いられる通信チャネルに関する動作は、後述するキャリアアグリゲーションが行われる場合には、１つのコンポーネントキャリアの中で行われてもよいし、複数のコンポーネントキャリアに跨って行われてもよい。例えば、あるコンポーネントキャリアで下りスケジューリング情報が送信され、また別のコンポーネントキャリアで、かかる下りスケジューリング情報に対応する物理下りリンク共有チャネルが送信されてもよい。あるいは、あるコンポーネントキャリアで上りスケジューリンググラントが送信され、また別のコンポーネントキャリアで、かかる上りスケジューリンググラントに対応する物理上りリンク共有チャネルが送信されてもよい。
【００３８】
ＬＴＥ-Ａｄｖａｎｃｅｄ方式が適用される場合には、「キャリアアグリゲーション（Ｃａｒｒｉｅｒ Ａｇｇｒｅｇａｔｉｏｎ）」が適用されてもよい。すなわち、上りリンク又は下りリンクにおいて、「コンポーネントキャリア（Ｃｏｍｐｏｎｅｎｔ  Ｃａｒｒｉｅｒ）」を複数用いた通信が行われる。
【００３９】
ここで、「コンポーネントキャリア」とは、ＬＴＥ方式における１つのシステムキャリアに相当する。すなわち、ＬＴＥ方式では、１つの「コンポーネントキャリア」で通信が行われていたが、ＬＴＥ-Ａｄｖａｎｃｅｄ方式では、２つ以上の「コンポーネントキャリア」で通信が行われてもよい。
【００４０】
例えば、図４に示すように、本実施形態に係る移動通信システムでは、第１のコンポーネントキャリア（図中ではＦ１）が用いられるセル（第１通信エリア）と、第２のコンポーネントキャリア（図中ではＦ２）が用いられるセル（第２通信エリア）とが、地理的に重複している。なお、図２においては、第１通信エリアと第２通信エリアが、地理的にほぼ完全に重複しているが、代わりに、少なくとも一部で地理的に重複していてもよい。
【００４１】
また、図４には示されていないが、第１のコンポーネントキャリア及び第２のコンポーネントキャリアに加えて、第３のコンポーネントキャリアが存在してもよい。あるいは、４つ以上のコンポーネントキャリアが存在してもよい。
【００４２】
以下の説明では、第１のコンポーネントキャリア（以下、第１キャリアと呼ぶ）と、第２のコンポーネントキャリア（以下、第２キャリアと呼ぶ）とを用いて、キャリアアグリゲーションが行われると想定する。
【００４３】
また、第１キャリア及び第２キャリアでは、コンポーネントキャリア毎の間欠受信制御が行われ、かつ、第１キャリアは間欠受信状態ではない状態（Ｎｏｎ−ＤＲＸの状態）であり、第２キャリアはＤＲＸの状態であると仮定する。すなわち、第１キャリアでは、通常通りデータの送受信が行われ、かつ、セルサーチやメジャメント、無線リンクのモニタリングも、その頻度を低減することなく行われる。一方、第２キャリアでは、データの送受信は基本的に行われず、かつ、セルサーチやメジャメント、無線リンクのモニタリングは、その頻度が低減されて行われる。尚、無線リンクのモニタリングは行われなくてもよい。この場合、移動局ＵＥは、第２キャリアのための処理の負荷、すなわち、上述した、セルサーチやメジャメント、無線リンクのモニタリングの処理の負荷を低減できるため、バッテリーセービングを行うことが可能となる。
【００４４】
尚、前記第１キャリアは、プライマリコンポーネントキャリアであってもよい。また、前記第２キャリアは、セカンダリコンポーネントキャリアであってもよい。
【００４５】
尚、上述したＮｏｎ−ＤＲＸの状態とは、間欠受信制御に関連するパラメータが設定されていない状態、あるいは、間欠受信制御に関連するパラメータが設定され、かつ、間欠受信制御のためのタイマーが動作している状態、あるいは、間欠受信制御に関連するパラメータが設定され、かつ、スケジューリングリクエストがペンディングされている状態、あるいは、間欠受信制御に関連するパラメータが設定され、かつ、上りリンクのＨＡＲＱの再送タイミングである状態、あるいは、間欠受信制御に関連するパラメータが設定され、かつ、指定されたプリアンブルに対するランダムアクセスリスポンスの受信の後に、自局宛の新規送信のための下りリンクの制御信号を受信していない状態の内の少なくとも１つの状態であってもよい。また、ＤＲＸの状態であるとは、上述したＮｏｎ−ＤＲＸの状態ではない状態であってもよい。
【００４６】
尚、上述したＤＲＸ状態、及び、Ｎｏｎ−ＤＲＸ状態は、より一般的には、間欠的にデータの送受信が行われる状態であってもよいし、あるいは、間欠的にデータの送受信や当該キャリアの測定が行われる状態であってもよい。あるいは、上述したＤＲＸ状態、及び、Ｎｏｎ−ＤＲＸ状態は、より一般的には、間欠的に当該キャリアの測定が行われる状態であってもよい。
【００４７】
次に、図５を用いて、本実施形態に係る移動局及び無線基地局の動作を示す。より具体的には、間欠受信状態ではないコンポーネントキャリア（第１キャリア）と、間欠受信状態であるコンポーネントキャリア（第２キャリア）が存在する場合に、前記間欠受信状態であるコンポーネントキャリア（第２キャリア）のＯｎ−ｄｕｒａｔｉｏｎ（ＯＮ区間）を考慮した、間欠受信状態ではないコンポーネントキャリア（第１キャリア）及び間欠受信状態であるコンポーネントキャリア（第２キャリア）における通信の動作を示す。
【００４８】
図５において、第２キャリアに関しては、ＤＲＸ周期毎にＯｎ−ｄｕｒａｔｉｏｎ（ＯＮ区間）が設定されている。ここで、Ｏｎ−ｄｕｒａｔｉｏｎである区間を区間Ａと呼び、Ｏｎ−ｄｕｒａｔｉｏｎでない区間を区間Ｂと呼ぶ。尚、前記ＤＲＸ周期は、例えば、２５６ｍｓであってもよいし、５１２ｍｓであってもよいし、１２８０ｍｓであってもよい。あるいは、前記ＤＲＸ周期は、例えば、上記以外の値であってもよい。ＤＲＸ周期により、どの程度、移動局ＵＥにおいてバッテリーセービングを行うことができるかが制御される。
【００４９】
移動局ＵＥは、区間Ａにおいてのみ、第２キャリアに関するセルサーチやメジャメント、無線リンクのモニタリング等を行い、また、ＰＤＣＣＨを介して送信される下り制御信号を受信するように構成されている。また、移動局ＵＥは、区間Ｂにおいては、第２キャリアに関するセルサーチやメジャメント、無線リンクのモニタリング、下り制御信号の受信を行わないように構成されている。上述の動作により、移動局ＵＥは、区間Ａでのみ第２キャリアに関する上述の処理を行うため、バッテリーセービングを行うことが可能となる。尚、前記下り制御信号は、例えば、上述の下りスケジューリング情報や上りスケジューリンググラントである。
【００５０】
一方、移動局ＵＥは、第１キャリアに関しては、間欠受信状態ではないコンポーネントキャリアであるため、区間Ａ、Ｂに関係なく、第１キャリアにおける通常のデータの送受信、及び、第１キャリアに関するセルサーチやメジャメント、無線リンクのモニタリングを行う。
【００５１】
ここで、本実施形態に係る無線基地局ｅＮＢ及び移動局ＵＥの動作においては、図２で示した受信機の中心周波数の切り替え等に伴うデータの欠落を回避するため、第２キャリアのための間欠受信制御における前記Ｏｎ−ｄｕｒａｔｉｏｎの前後に、受信機切り替え区間が設定される。
【００５２】
すなわち、移動局ＵＥ及び無線基地局ｅＮＢは、第２キャリアのための間欠受信制御におけるＯｎ−ｄｕｒａｔｉｏｎの前後に設定される所定の区間においては、移動局ＵＥの受信機が中心周波数の切り替え等が行われるため、第１キャリアにおいて、データの送受信ができないとみなして、第１キャリアにおける通信処理を行ってもよい。前記第２キャリアのための間欠受信制御におけるＯｎ−ｄｕｒａｔｉｏｎの前後に設定される所定の区間、すなわち、前記受信機切り替え区間を、以下では、Ｏｎ−ｄｕｒａｔｉｏｎ用Ｇａｐ区間と呼ぶ。尚、かかる通信処理には、例えば、第１キャリアにおけるデータの送受信に加えて、第１キャリアに関するメジャメントやセルサーチ、無線リンクのモニタリング等の処理が含まれてもよい。かかる第１キャリアにおけるデータの送受信とは、移動局ＵＥに関しては、下りリンクにおけるデータの受信、及び、上りリンクにおけるデータの送信であり、無線基地局ｅＮＢに関しては、下りリンクにおけるデータの送信、及び、上りリンクにおけるデータの受信であってもよい。また、前記メジャメントとセルサーチの処理をまとめて、メジャメントと呼ばれてもよい。
【００５３】
例えば、移動局ＵＥは、前記受信機切り替え区間において、第１キャリアにおける下りリンクの受信、及び、上りリンクの送信、及び、セルサーチ、及び、メジャメントギャップ、及び、無線リンクのモニタリングを行わないように構成されていてもよい。また、無線基地局ｅＮＢは、前記受信機切り替え区間において、第１キャリアにおける当該移動局ＵＥに関する、下りリンクの送信、及び、上りリンクの受信を行わないように構成されていてもよい。さらに、無線基地局ｅＮＢは、前記受信機切り替え区間において、第１キャリアにおける下りリンクの送信、及び、上りリンクの受信を行われないように、第１キャリアにおける上りリンク及び下りリンクに関するスケジューリングを行うように構成されていてもよい。
【００５４】
ここで、移動局ＵＥ及び無線基地局ｅＮＢは、かかる受信機切り替え区間を、メジャメントギャップに相当する区間であるとみなして、第１キャリアにおける通信処理を行うように構成されていてもよい。ここで、かかる受信機切り替え区間を、メジャメントギャップに相当する区間であるとみなして、第１キャリアにおける通信処理を行う、とは、例えば、上述したように、かかる受信機切り替え区間においては、第１キャリアにおけるデータの送受信やセルサーチ、メジャメント、無線リンクのモニタリング等を行わないことを意味してもよい。尚、かかるメジャメントギャップとは、異なる周波数のキャリアや異なる無線通信システムのキャリアを測定するために設けられる時間区間であってもよい。
【００５５】
また、移動局ＵＥ及び無線基地局ｅＮＢは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、移動局ＵＥの受信機が中心周波数の切り替え等が行われるため、第２キャリアにおいて、データの送受信ができないとみなして、第２キャリアにおける通信処理を行ってもよい。尚、かかる通信処理には、例えば、第２キャリアにおけるデータの送受信等の処理が含まれてもよい。かかる第２キャリアにおけるデータの送受信とは、移動局ＵＥに関しては、下りリンクにおけるデータの受信、及び、上りリンクにおけるデータの送信であり、無線基地局ｅＮＢに関しては、下りリンクにおけるデータの送信、及び、上りリンクにおけるデータの受信であってもよい。
【００５６】
例えば、移動局ＵＥは、前記受信機切り替え区間において、第２キャリアにおける下りリンクの受信、及び、上りリンクの送信を行わないように構成されていてもよい。また、無線基地局ｅＮＢは、前記受信機切り替え区間において、第２キャリアにおける当該移動局ＵＥに関する、下りリンクの送信、及び、上りリンクの受信を行わないように構成されていてもよい。さらに、無線基地局ｅＮＢは、前記受信機切り替え区間において、第２キャリアにおける下りリンクの送信、及び、上りリンクの受信を行われないように、第２キャリアにおける上りリンク及び下りリンクに関するスケジューリングを行うように構成されていてもよい。
【００５７】
ここで、移動局ＵＥ及び無線基地局ｅＮＢは、かかる受信機切り替え区間を、メジャメントギャップに相当する区間であるとみなして、第２キャリアにおける通信処理を行ってもよい。ここで、かかる受信機切り替え区間を、メジャメントギャップに相当する区間であるとみなして、第１キャリアにおける通信処理を行う、とは、例えば、上述したように、かかる受信機切り替え区間においては、第１キャリアにおけるデータの送受信やセルサーチ、メジャメント、無線リンクのモニタリング等を行わないことを意味してもよい。尚、かかるメジャメントギャップとは、異なる周波数のキャリアや異なる無線通信システムのキャリアを測定するために設けられる時間区間であってもよい。
【００５８】
上述したＯｎ−ｄｕｒａｔｉｏｎの前後に設定される所定の区間、すなわち、受信機切り替え区間、あるいは、Ｏｎ−ｄｕｒａｔｉｏｎ用Ｇａｐ区間は、受信機に加えて、送信機の切り替えも行われることを考慮して、送受信機切り替え区間と呼ばれてもよい。あるいは、間欠受信制御におけるＯｎ−ｄｕｒａｔｉｏｎの前後に設定される区間であるため、Ｏｎ−ｄｕｒａｔｉｏｎに付随するメジャメントギャップと呼ばれてもよい。あるいは、上述したＯｎ−ｄｕｒａｔｉｏｎの前後に設定される所定の区間は、通常のメジャメントギャップと同様にメジャメントギャップと呼ばれてもよい。
【００５９】
尚、前記Ｏｎ−ｄｕｒａｔｉｏｎの前後に設定される所定の区間、すなわち、Ｏｎ−ｄｕｒａｔｉｏｎ用Ｇａｐ区間は、例えば、それぞれ１ｍｓであってもよいし、２ｍｓであってもよい。あるいは、前記Ｏｎ−ｄｕｒａｔｉｏｎ用Ｇａｐ区間は、１ｍｓ、２ｍｓ以外の値であってもよい。
【００６０】
尚、Ｏｎ−ｄｕｒａｔｉｏｎの前後に設定される所定の区間、すなわち、Ｏｎ−ｄｕｒａｔｉｏｎ用Ｇａｐ区間の内、Ｏｎ−ｄｕｒａｔｉｏｎの前に設定される区間の大きさは、図６に示すように、Ｏｎ−ｄｕｒａｔｉｏｎの後に設定される区間の大きさよりも大きくてもよい。尚、Ｏｎ−ｄｕｒａｔｉｏｎの前に設定される区間の大きさを、Ｏｎ−ｄｕｒａｔｉｏｎの後に設定される区間の大きさよりも大きくすることの効果は後述する。
【００６１】
より具体的には、前記Ｏｎ−ｄｕｒａｔｉｏｎの前に設定される所定の区間、及び、Ｏｎ−ｄｕｒａｔｉｏｎの後に設定される所定の区間は、例えば、それぞれ、６ｍｓ、及び、１ｍｓであってもよい。あるいは、前記Ｏｎ−ｄｕｒａｔｉｏｎの前に設定される所定の区間、及び、Ｏｎ−ｄｕｒａｔｉｏｎの後に設定される所定の区間は、例えば、それぞれ、４ｍｓ、及び、２ｍｓであってもよく、あるいは、前記Ｏｎ−ｄｕｒａｔｉｏｎの前に設定される所定の区間の大きさが、前記Ｏｎ−ｄｕｒａｔｉｏｎの後に設定される所定の区間の大きさよりも大きいのであれば、それ以外の値であってもよい。
【００６２】
尚、上述したＯｎ−ｄｕｒａｔｉｏｎの前後に設定される所定の区間、すなわち、Ｏｎ−ｄｕｒａｔｉｏｎ用Ｇａｐ区間は、第１キャリアと第２キャリアが同一の周波数バンドに属する場合にのみ適用され、第１キャリアと第２キャリアが異なる周波数バンドに属する場合には適用されなくてもよい。
【００６３】
一般に、第１キャリアと第２キャリアが異なる周波数バンドに属する場合、移動局ＵＥは、第１キャリアと第２キャリアで別々の受信機を有するため、図２及び図３に示したような中心周波数の切り替え等が発生せず、結果として、それに伴うデータの欠落は生じない。よって、第１キャリアと第２キャリアが異なる周波数バンドに属する場合には、上述したＯｎ−ｄｕｒａｔｉｏｎの前後に設定される所定の区間は不要となる。言い換えれば、第１キャリアと第２キャリアが同一の周波数バンドに属する場合にのみ、前記Ｏｎ−ｄｕｒａｔｉｏｎ用Ｇａｐ区間を設定し、第１キャリアと第２キャリアが異なる周波数バンドに属する場合には、前記Ｏｎ−ｄｕｒａｔｉｏｎ用Ｇａｐ区間を設定しないことにより、必要な場合にのみ、前記Ｏｎ−ｄｕｒａｔｉｏｎ用Ｇａｐ区間を設定することが可能となり、よりシステムの効率性を高めることが可能となる。
【００６４】
尚、前記第２キャリアにおけるＯｎ−ｄｕｒａｔｉｏｎは、前記第２キャリアがＤＲＸ状態である場合のみ存在し、前記第２キャリアがＮｏｎ−ＤＲＸ状態である場合には存在しない。よって、前記第２キャリアがＮｏｎ−ＤＲＸ状態である場合には、移動局ＵＥの受信機は、常に図２に示す状態となり、移動局ＵＥ、及び、無線基地局ｅＮＢは、上述したＯｎ−ｄｕｒａｔｉｏｎ用Ｇａｐ区間を考慮せずに、第１キャリア及び第２キャリアの通信を行うことが可能となる。結果として、移動局ＵＥ、及び、無線基地局ｅＮＢは、第１キャリアと第２キャリアの両方がＮｏｎ−ＤＲＸ状態である場合には、メジャメントのためのギャップ区間なしに第１キャリア及び第２キャリアとの通信が可能となり、スループットのロスを回避することが可能となる。
【００６５】
図７に示すように、移動局ＵＥは、第１通信部１０２と、第２通信部１０４と、ＤＲＸ制御部１０６と、ギャップ制御部１０８とを具備している。また、第１通信部１０２は、第１下りリンク受信部１０２Ａと第１上りリンク送信部１０２Ｂと第１測定部１０２Ｃとを具備し、第２通信部１０４は、第２下りリンク受信部１０４Ａと第２上りリンク送信部１０４Ｂと第２測定部１０４Ｃとを具備している。
【００６６】
尚、図７においては、移動局ＵＥにおけるベースバンド処理に関する機能部が例示されており、移動局ＵＥにおけるＲＦ（無線部分）の処理に関する機能部は例示されていない。すなわち、図２、３に示した受信機は、ＲＦの処理に関する機能部に含まれるため、例示されていない。尚、本実施形態に示す移動局ＵＥの構成は、前記ＲＦの処理に関する機能部に関係なく適用されてよい。
【００６７】
第１通信部１０２と、第１下りリンク受信部１０２Ａと、第１上りリンク送信部１０２Ｂと、第１測定部１０２Ｃと、第２通信部１０４と、第２下りリンク受信部１０４Ａと、第２上りリンク送信部１０４Ｂと、第２測定部１０４Ｃと、ＤＲＸ制御部１０６と、ギャップ制御部１０８とは、互いに接続されている。
【００６８】
第１通信部１０２は、第１キャリアに関する通信を行う。例えば、第１通信部１０２は、第１キャリアにおける下りリンクの受信や上りリンクの送信、第１キャリアに関するセルサーチやメジャメント、無線リンクのモニタリング等を行う。
【００６９】
上述したように、第１通信部１０２は、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、第１キャリアに関する通信を行わないように構成されていてもよい。
【００７０】
第１下りリンク受信部１０２Ａは、第１キャリアにおける下りリンクの信号の受信を行う。ここで、かかる下りリンクの信号とは、例えば、ＰＤＳＣＨやＰＤＣＣＨであってもよい。あるいは、かかる下りリンクの信号とは、報知情報であるＰ−ＢＣＨや同期信号であるＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、下りリンクのリファレンス信号であってもよい。
【００７１】
上述したように、第１下りリンク受信部１０２Ａは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、第１キャリアにおける下りリンクの信号を受信しないように構成されていてもよい。
【００７２】
第１上りリンク送信部１０２Ｂは、第１キャリアにおける上りリンクの信号の送信を行う。ここで、かかる上りリンクの信号とは、例えば、ＰＵＳＣＨやＰＵＣＣＨであってもよい。あるいは、かかる上りリンクの信号とは、サウンディング用のリファレンス信号や復調用のリファレンス信号であってもよいし、ランダムアクセスチャネルであってもよい。
【００７３】
上述したように、第１上りリンク送信部１０２Ｂは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、第１キャリアにおける上りリンクの信号を送信しないように構成されていてもよい。
【００７４】
第１測定部１０２Ｃは、第１キャリアにおけるセルサーチやメジャメント、無線リンクのモニタリング等の測定処理を行う。
【００７５】
上述したように、第１測定部１０２Ｃは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、上述したセルサーチやメジャメント、無線リンクのモニタリング等の測定処理を行わないように構成されていてもよい。
【００７６】
第２通信部１０４は、第２キャリアに関する通信を行う。例えば、第２通信部１０４は、第２キャリアにおける下りリンクの受信や上りリンクの送信、第２キャリアに関するセルサーチやメジャメント、無線リンクのモニタリング等を行う。
【００７７】
上述したように、第２通信部１０４は、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、第２キャリアに関する通信を行わないように構成されていてもよい。
【００７８】
第２下りリンク受信部１０４Ａは、第２キャリアにおける下りリンクの信号の受信を行う。ここで、かかる下りリンクの信号とは、例えば、ＰＤＳＣＨやＰＤＣＣＨであってもよい。あるいは、かかる下りリンクの信号とは、報知情報であるＰ−ＢＣＨや同期信号であるＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、下りリンクのリファレンス信号であってもよい。
【００７９】
上述したように、第２下りリンク受信部１０４Ａは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、第２キャリアにおける下りリンクの信号を受信しないように構成されていてもよい。
【００８０】
第２上りリンク送信部１０４Ｂは、第２キャリアにおける上りリンクの信号の送信を行う。ここで、かかる上りリンクの信号とは、例えば、ＰＵＳＣＨやＰＵＣＣＨであってもよい。あるいは、かかる上りリンクの信号とは、サウンディング用のリファレンス信号や復調用のリファレンス信号であってもよいし、ランダムアクセスチャネルであってもよい。
【００８１】
上述したように、第２上りリンク送信部１０４Ｂは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、第２キャリアにおける上りリンクの信号を送信しないように構成されていてもよい。
【００８２】
第２測定部１０４Ｃは、第２キャリアにおけるセルサーチやメジャメント、無線リンクのモニタリング等の測定処理を行う。
【００８３】
ここで、第２測定部１０４Ｃは、前記第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間の内、前記Ｏｎ−ｄｕｒａｔｉｏｎの前に設定される区間において、第２キャリアにおけるセルサーチやメジャメント、無線リンクのモニタリング等の測定処理を行ってもよい。尚、前記メジャメントには、後述するＰａｔｈｌｏｓｓの測定が含まれてもよい。
【００８４】
以下に、第２測定部１０４Ｃが、前記第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間の内、前記Ｏｎ−ｄｕｒａｔｉｏｎの前に設定される区間において、第２キャリアにおけるセルサーチやメジャメント、無線リンクのモニタリング等の測定処理を行うことの意味を説明する。
【００８５】
例えば、第２キャリアが間欠受信状態である場合に、送信すべきデータが発生し、かかるＯｎ−ｄｕｒａｔｉｏｎにおいて、上りリンクの送信が発生すると仮定する。この場合、かかる上りリンクの送信のための送信電力は、できる限り最新のＰａｔｈ  ｌｏｓｓに基づいて決定されることが望ましい。この場合、かかるＯｎ−ｄｕｒａｔｉｏｎにおいて、かかるＰａｔｈ  ｌｏｓｓを測定したのでは、処理遅延等を考慮すると、上記上りリンクの送信のための送信電力の決定に、その測定したＰａｔｈ  ｌｏｓｓの結果を反映させることは困難である。言い換えれば、Ｏｎ−ｄｕｒａｔｉｏｎの前に設定される区間において、Ｐａｔｈ  ｌｏｓｓを測定することにより、かかる上りリンクの送信のための送信電力が、最新のＰａｔｈ  ｌｏｓｓに基づいて決定され、結果として、通信の品質を向上させることが可能である。
【００８６】
尚、上記例において、Ｐａｔｈ  ｌｏｓｓは、下りリンクのリファレンス信号の受信電力ＲＳＲＰから推定されるため、Ｏｎ−ｄｕｒａｔｉｏｎの前に設定される区間において、Ｐａｔｈ  ｌｏｓｓを測定するとは、ＲＳＲＰの測定（いわゆるメジャメント）を、Ｏｎ−ｄｕｒａｔｉｏｎの前に設定される区間において行うことを意味する。
【００８７】
尚、ＲＳＲＰの測定（いわゆる、メジャメント）だけでなく、セルサーチや無線リンクのモニタリングに関しても、その後に続くＯｎ−ｄｕｒａｔｉｏｎにおいて、その測定結果に基づいた処理が可能となるため、Ｏｎ−ｄｕｒａｔｉｏｎの前に設定される区間において、行われることが好ましい。
【００８８】
尚、Ｏｎ−ｄｕｒａｔｉｏｎの後に設定される区間においては、上述した受信機の中心周波数の切り替え等の処理が発生するだけであるのに対し、Ｏｎ−ｄｕｒａｔｉｏｎの前に設定される区間においては、上述した、受信機の中心周波数の切り替え等の処理に加えて、上述した、第２キャリアにおけるセルサーチやメジャメント、無線リンクのモニタリングの処理が行われるため、Ｏｎ−ｄｕｒａｔｉｏｎの前に設定される区間の大きさは、Ｏｎ−ｄｕｒａｔｉｏｎの後に設定される区間の大きさよりも大きく設定されてもよい。
【００８９】
すなわち、移動局ＵＥ及び無線基地局ｅＮＢは、第２キャリアのための間欠受信制御におけるＯｎ−ｄｕｒａｔｉｏｎの前に設定される第１Ｏｎ−ｄｕｒａｔｉｏｎ用Ｇａｐ区間、及び、第２キャリアのための間欠受信制御におけるＯｎ−ｄｕｒａｔｉｏｎの後に設定される第２Ｏｎ−ｄｕｒａｔｉｏｎ用Ｇａｐ区間においては、第１キャリアにおいて、データの送受信ができないとみなして、第１キャリアにおける通信処理を行ってもよい。また、前記第１Ｏｎ−ｄｕｒａｔｉｏｎ用Ｇａｐ区間の大きさは、第２Ｏｎ−ｄｕｒａｔｉｏｎ用Ｇａｐ区間の大きさよりも大きく設定されてもよい。
【００９０】
尚、前記第１Ｏｎ−ｄｕｒａｔｉｏｎ用Ｇａｐ区間及び第２Ｏｎ−ｄｕｒａｔｉｏｎ用Ｇａｐ区間は、Ｍｅａｓｕｒｅｍｅｎｔ  ｇａｐと同等の区間とみなされて、第１キャリアに関する通信の制御が行われてもよい。すなわち、前記第１Ｏｎ−ｄｕｒａｔｉｏｎ用Ｇａｐ区間及び第２Ｏｎ−ｄｕｒａｔｉｏｎ用Ｇａｐ区間においては、Ｍｅａｓｕｒｅｍｅｎｔ  ｇａｐと同等の区間とみなされて、第１キャリアに関する通信が停止されてもよい。
【００９１】
ＤＲＸ制御部１０６は、移動局ＵＥが間欠受信状態であるか否かについて管理するように構成されている。より具体的には、ＤＲＸ制御部１０６は、第１キャリア及び第２キャリアのそれぞれに関して間欠受信状態であるか否かについて管理するように構成されている。そして、ＤＲＸ制御部１０６は、第１通信部１０２（第１下りリンク受信部１０２Ａ、第１上りリンク送信部１０２Ｂ、第１測定部１０２Ｃ）及び第２通信部１０４（第２下りリンク受信部１０４Ａ、第２上りリンク送信部１０４Ｂ、第２測定部１０４Ｃ）及びギャップ制御部１０８に対して、第１キャリア及び第２キャリアのそれぞれに関して、間欠受信状態であるか否か、すなわち、間欠受信状態であるか又は非間欠受信状態であるか、また、そのＯｎ−ｄｕｒａｔｉｏｎがいつであるかを通知する。
【００９２】
ギャップ制御部１０８は、メジャメントギャップに関する制御を行う。より具体的には、異なる周波数のキャリアに関するメジャメントや異なる移動通信システムのキャリアに関するメジャメントのためのメジャメントギャップの管理を行い、どのサブフレームにおいて、メジャメントギャップが設定されているかの情報を、ＤＲＸ制御部１０６及び第１通信部１０２（第１下りリンク受信部１０２Ａ、第１上りリンク送信部１０２Ｂ、第１測定部１０２Ｃ）及び第２通信部１０４（第２下りリンク受信部１０４Ａ、第２上りリンク送信部１０４Ｂ、第２測定部１０４Ｃ）に通知する。
【００９３】
さらに、ギャップ制御部１０８は、前記メジャメントギャップに加えて、上述した、受信機切り替え区間、すなわち、Ｏｎ−ｄｕｒａｔｉｏｎ用Ｇａｐ区間の管理、制御を行う。すなわち、ギャップ制御部１０８は、第２キャリアのための間欠受信制御におけるＯｎ−ｄｕｒａｔｉｏｎの前後に設定される区間、すなわち、Ｏｎ−ｄｕｒａｔｉｏｎ用Ｇａｐ区間を設定し、そのＯｎ−ｄｕｒａｔｉｏｎ用Ｇａｐ区間をＤＲＸ制御部１０６及び第１通信部１０２（第１下りリンク受信部１０２Ａ、第１上りリンク送信部１０２Ｂ、第１測定部１０２Ｃ）及び第２通信部１０４（第２下りリンク受信部１０４Ａ、第２上りリンク送信部１０４Ｂ、第２測定部１０４Ｃ）に通知する。
【００９４】
図８に示すように、無線基地局ｅＮＢは、第１通信部２０２と第２通信部２０４とＤＲＸ制御部２０６とギャップ制御部２０８とを具備している。また、第１通信部２０２は、第１下りリンク送信部２０２Ａと第１上りリンク受信部２０２Ｂとを具備し、第２通信部２０４は、第２下りリンク送信部２０４Ａと第２上りリンク受信部２０４Ｂとを具備している。第１通信部２０２と第１下りリンク送信部２０２Ａと第１上りリンク受信部２０２Ｂと第２通信部２０４と第２下りリンク送信部２０４Ａと第２上りリンク受信部２０４ＢとＤＲＸ制御部２０６とギャップ制御部２０８とは、互いに接続されている。
【００９５】
第１通信部２０２は、第１キャリアに関する通信を行う。例えば、第１通信部２０２は、第１キャリアにおける下りリンクの送信や上りリンクの受信等を行う。
【００９６】
上述したように、第１通信部２０２は、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐにおいては、第１キャリアに関する通信を行わないように構成されていてもよい。
【００９７】
第１下りリンク送信部２０２Ａは、第１キャリアにおける下りリンクの信号の送信を行う。ここで、かかる下りリンクの信号とは、例えば、ＰＤＳＣＨやＰＤＣＣＨであってもよい。あるいは、かかる下りリンクの信号とは、報知情報であるＰ−ＢＣＨや同期信号であるＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、下りリンクのリファレンス信号であってもよい。
【００９８】
上述したように、第１下りリンク送信部２０２Ａは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐにおいては、第１キャリアにおける下りリンクの信号を送信しないように構成されていてもよい。
【００９９】
あるいは、第１下りリンク送信部２０２Ａは、前記Ｏｎ−ｄｕｒａｔｉｏｎ用Ｇａｐにおいて移動局ＵＥが下りリンクの信号を受信しないように、スケジューリングを行ってもよい。尚、スケジューリングとは、あるサブフレームにおいて、どの移動局ＵＥが共有チャネルを用いて通信を行うかを選択する処理を示す。
【０１００】
第１上りリンク受信部２０２Ｂは、第１キャリアにおける上りリンクの信号の受信を行う。ここで、かかる上りリンクの信号とは、例えば、ＰＵＳＣＨやＰＵＣＣＨであってもよい。あるいは、かかる上りリンクの信号とは、サウンディング用のリファレンス信号や復調用のリファレンス信号であってもよいし、ランダムアクセスチャネルであってもよい。
【０１０１】
上述したように、第１上りリンク受信部２０２Ｂは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐにおいては、第１キャリアにおける上りリンクの信号を受信しないように構成されていてもよい。
【０１０２】
あるいは、第１上りリンク受信部２０２Ｂは、前記Ｏｎ−ｄｕｒａｔｉｏｎ用Ｇａｐにおいて移動局ＵＥが上りリンクの信号を送信しないように、スケジューリングを行ってもよい。尚、スケジューリングとは、あるサブフレームにおいて、どの移動局ＵＥが共有チャネルを用いて通信を行うかを選択する処理を示す。尚、より具体的には、第１上りリンク受信部２０２Ｂは、前記Ｏｎ−ｄｕｒａｔｉｏｎ用Ｇａｐにおいて移動局ＵＥが上りリンクの信号を送信しないように、対応するサブフレームの下りリンクにおいて、当該移動局ＵＥに対して、上りスケジューリンググラントを送信しないように構成されていてもよい。尚、前記上りスケジューリンググラントは、第１下りリンク送信部２０２Ａを介して送信されてもよい。
【０１０３】
第２通信部２０４は、第２キャリアに関する通信を行う。例えば、第２通信部２０４は、第２キャリアにおける下りリンクの送信や上りリンクの受信等を行う。
【０１０４】
上述したように、第２通信部２０４は、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、第２キャリアに関する通信を行わないように構成されていてもよい。
【０１０５】
第２下りリンク送信部２０４Ａは、第２キャリアにおける下りリンクの信号の送信を行う。ここで、かかる下りリンクの信号とは、例えば、ＰＤＳＣＨやＰＤＣＣＨであってもよい。あるいは、かかる下りリンクの信号とは、報知情報であるＰ−ＢＣＨや同期信号であるＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、下りリンクのリファレンス信号であってもよい。
【０１０６】
上述したように、第２下りリンク送信部２０４Ａは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、第２キャリアにおける下りリンクの信号を送信しないように構成されていてもよい。
【０１０７】
あるいは、第２下りリンク送信部２０４Ａは、前記Ｏｎ−ｄｕｒａｔｉｏｎ用Ｇａｐにおいて移動局ＵＥが下りリンクの信号を受信しないように、スケジューリングを行ってもよい。尚、スケジューリングとは、あるサブフレームにおいて、どの移動局ＵＥが共有チャネルを用いて通信を行うかを選択する処理を示す。
【０１０８】
第２上りリンク受信部２０４Ｂは、第２キャリアにおける上りリンクの信号の受信を行う。ここで、かかる上りリンクの信号とは、例えば、ＰＵＳＣＨやＰＵＣＣＨであってもよい。あるいは、かかる上りリンクの信号とは、サウンディング用のリファレンス信号や復調用のリファレンス信号であってもよいし、ランダムアクセスチャネルであってもよい。
【０１０９】
上述したように、第２上りリンク受信部２０４Ｂは、第２キャリアのための間欠受信制御におけるＯｎ−ｄｕｒａｔｉｏｎの前後に設定される所定の区間、すなわち、Ｏｎ−ｄｕｒａｔｉｏｎ用Ｇａｐ区間においては、第２キャリアにおける上りリンクの信号を受信しないように構成されていてもよい。
【０１１０】
あるいは、第２上りリンク受信部２０４Ｂは、前記Ｏｎ−ｄｕｒａｔｉｏｎ用Ｇａｐにおいて移動局ＵＥが上りリンクの信号を送信しないように、スケジューリングを行ってもよい。尚、スケジューリングとは、あるサブフレームにおいて、どの移動局ＵＥが共有チャネルを用いて通信を行うかを選択する処理を示す。尚、より具体的には、第２上りリンク受信部２０４Ｂは、前記Ｏｎ−ｄｕｒａｔｉｏｎ用Ｇａｐにおいて移動局ＵＥが上りリンクの信号を送信しないように、対応するサブフレームの下りリンクにおいて、当該移動局ＵＥに対して、上りスケジューリンググラントを送信しないように構成されていてもよい。尚、前記上りスケジューリンググラントは、第２下りリンク送信部２０４Ａを介して送信されてもよい。
【０１１１】
ＤＲＸ制御部２０６は、セル内の各移動局ＵＥが間欠受信状態であるか否かについて管理、制御するように構成されている。より具体的には、ＤＲＸ制御部２０６は、セル内の各移動局に関して、第１キャリア及び第２キャリアのそれぞれに関して間欠受信状態であるか否かについて管理、制御するように構成されている。そして、ＤＲＸ制御部２０６は、第１通信部２０２（第１下りリンク送信部２０２Ａ、第１上りリンク受信部２０２Ｂ）及び第２通信部２０４（第２下りリンク送信部２０４Ａ、第２上りリンク受信部２０４Ｂ）及びギャップ制御部２０８に対して、セル内の各移動局に関して、かつ、第１キャリア及び第２キャリアのそれぞれに関して、間欠受信状態であるか否か、すなわち、間欠受信状態であるか又は非間欠受信状態であるか、また、そのＯｎ−ｄｕｒａｔｉｏｎがいつであるかを通知する。
【０１１２】
ギャップ制御部２０８は、メジャメントギャップに関する制御を行う。より具体的には、異なる周波数のキャリアに関するメジャメントや異なる移動通信システムのキャリアに関するメジャメントのためのメジャメントギャップの管理を行い、セル内の各移動局に関して、どのサブフレームにおいて、メジャメントギャップが設定されているかの情報を、ＤＲＸ制御部２０６及び第１通信部２０２（第１下りリンク送信部２０２Ａ、第１上りリンク受信部２０２Ｂ）及び第２通信部２０４（第２下りリンク送信部２０４Ａ、第２上りリンク受信部２０４Ｂ）に通知する。
【０１１３】
さらに、ギャップ制御部２０８は、前記メジャメントギャップに加えて、上述した、受信機切り替え区間、すなわち、Ｏｎ−ｄｕｒａｔｉｏｎ用Ｇａｐ区間の管理、制御を行う。すなわち、ギャップ制御部１０８は、第２キャリアのための間欠受信制御におけるＯｎ−ｄｕｒａｔｉｏｎの前後に設定される区間、すなわち、Ｏｎ−ｄｕｒａｔｉｏｎ用Ｇａｐ区間を設定し、そのＯｎ−ｄｕｒａｔｉｏｎ用Ｇａｐ区間をＤＲＸ制御部２０６及び第１通信部２０２（第１下りリンク送信部２０２Ａ、第１上りリンク受信部２０２Ｂ）及び第２通信部２０４（第２下りリンク送信部２０４Ａ、第２上りリンク受信部２０４Ｂ）に通知する。
【０１１４】
図９を用いて、本実施形態に係る移動局ＵＥにおける通信制御方法を説明する。
【０１１５】
ステップＳ３０２において、移動局ＵＥは、当該Ｓｕｂ−ｆｒａｍｅが、Ｓｅｃｏｎｄａｒｙ  Ｃｏｍｐｏｎｅｎｔ  Ｃａｒｒｉｅｒ  （Ｓｅｃｏｎｄａｒｙ  ＣＣ）のＯｎ−ｄｕｒａｔｉｏｎの前後のＧａｐ区間、すなわち、Ｏｎ−ｄｕｒａｔｉｏｎ用Ｇａｐ区間であるか否かを判定する。ここで、前記Ｓｅｃｏｎｄａｒｙ  ＣＣは、上述の説明における第２キャリアに相当する。
【０１１６】
当該Ｓｕｂ−ｆｒａｍｅが、Ｓｅｃｏｎｄａｒｙ  ＣＣのＯｎ−ｄｕｒａｔｉｏｎの前後のＧａｐ区間である場合（ステップＳ３０２：ＹＥＳ）、移動局ＵＥは、当該Ｓｕｂ−ｆｒａｍｅにおいて、Ｐｒｉｍａｒｙ  Ｃｏｍｐｏｎｅｎｔ  Ｃａｒｒｉｅｒ（Ｐｒｉｍａｒｙ  ＣＣ）における上りリンクの送信や下りリンクの受信を行わない（ステップＳ３０４）。ここで、前記Ｐｒｉｍａｒｙ  ＣＣは、上述の説明における第１キャリアに相当する。
【０１１７】
当該Ｓｕｂ−ｆｒａｍｅが、Ｓｅｃｏｎｄａｒｙ  ＣＣのＯｎ−ｄｕｒａｔｉｏｎの前後のＧａｐ区間でない場合（ステップＳ３０２：ＮＯ）、移動局ＵＥは、当該Ｓｕｂ−ｆｒａｍｅにおいて、通常通り、Ｐｒｉｍａｒｙ  ＣＣにおける上りリンクの送信や下りリンクの受信を行う（ステップＳ３０６）。
【０１１８】
図１０を用いて、本実施形態に係る移動局ＵＥにおける通信制御方法を説明する。
【０１１９】
ステップＳ４０２において、移動局ＵＥは、当該Ｓｕｂ−ｆｒａｍｅが、Ｓｅｃｏｎｄａｒｙ  ＣＣのＯｎ−ｄｕｒａｔｉｏｎの前のＧａｐ区間であるか否かを判定する。
【０１２０】
当該Ｓｕｂ−ｆｒａｍｅが、Ｓｅｃｏｎｄａｒｙ  ＣＣのＯｎ−ｄｕｒａｔｉｏｎの前のＧａｐ区間である場合（ステップＳ４０２：ＹＥＳ）、移動局ＵＥは、当該Ｓｕｂ−ｆｒａｍｅにおいて、Ｓｅｃｏｎｄａｒｙ  ＣＣにおけるＰａｔｈ  ｌｏｓｓの算出を行う（ステップＳ４０４）。
【０１２１】
尚、当該Ｓｕｂ−ｆｒａｍｅが、Ｓｅｃｏｎｄａｒｙ  ＣＣのＯｎ−ｄｕｒａｔｉｏｎの前のＧａｐ区間でない場合（ステップＳ４０２：ＮＯ）、移動局ＵＥは、通常の制御動作に基づいて、Ｐａｔｈ  ｌｏｓｓの算出を行う（尚、本動作は、通常の制御動作であるため、フローチャート中には記載していない）。尚、図１０に示した動作では、ステップＳ４０４でＰａｔｈ  ｌｏｓｓの算出を行ったが、代わりに、セルサーチやメジャメント、ＲＳＲＰの測定、無線リンクのモニタリング等が行われてもよい。
【０１２２】
図１１を用いて、本実施形態に係る無線基地局ｅＮＢにおける通信制御方法を説明する。
【０１２３】
ステップＳ５０２において、無線基地局ｅＮＢは、当該Ｓｕｂ−ｆｒａｍｅが、移動局ＵＥに関する、Ｓｅｃｏｎｄａｒｙ  Ｃｏｍｐｏｎｅｎｔ  Ｃａｒｒｉｅｒ  （Ｓｅｃｏｎｄａｒｙ  ＣＣ）のＯｎ−ｄｕｒａｔｉｏｎの前後のＧａｐ区間、すなわち、Ｏｎ−ｄｕｒａｔｉｏｎ用Ｇａｐ区間であるか否かを判定する。ここで、前記Ｓｅｃｏｎｄａｒｙ  ＣＣは、上述の説明における第２キャリアに相当する。
【０１２４】
当該Ｓｕｂ−ｆｒａｍｅが、移動局ＵＥに関する、Ｓｅｃｏｎｄａｒｙ  ＣＣのＯｎ−ｄｕｒａｔｉｏｎの前後のＧａｐ区間である場合（ステップＳ５０２：ＹＥＳ）、無線基地局ｅＮＢは、当該Ｓｕｂ−ｆｒａｍｅにおいて、当該移動局ＵＥに対して、Ｐｒｉｍａｒｙ  Ｃｏｍｐｏｎｅｎｔ  Ｃａｒｒｉｅｒ（Ｐｒｉｍａｒｙ  ＣＣ）における上りリンクの受信や下りリンクの送信を行わない（ステップＳ５０４）。ここで、前記Ｐｒｉｍａｒｙ  ＣＣは、上述の説明における第１キャリアに相当する。
【０１２５】
当該Ｓｕｂ−ｆｒａｍｅが、Ｓｅｃｏｎｄａｒｙ  ＣＣのＯｎ−ｄｕｒａｔｉｏｎの前後のＧａｐ区間でない場合（ステップＳ５０２：ＮＯ）、無線基地局ｅＮＢは、当該Ｓｕｂ−ｆｒａｍｅにおいて、当該移動局ＵＥに対して、通常通り、Ｐｒｉｍａｒｙ  ＣＣにおける上りリンクの受信や下りリンクの送信を行う（ステップＳ５０６）。
【０１２６】
図１２を用いて、本実施形態に係る無線基地局ｅＮＢにおける通信制御方法を説明する。
【０１２７】
ステップＳ６０２において、無線基地局ｅＮＢは、当該Ｓｕｂ−ｆｒａｍｅが、移動局ＵＥに関して、Ｓｅｃｏｎｄａｒｙ  Ｃｏｍｐｏｎｅｎｔ  Ｃａｒｒｉｅｒ  （Ｓｅｃｏｎｄａｒｙ  ＣＣ）のＯｎ−ｄｕｒａｔｉｏｎの前後のＧａｐ区間、すなわち、Ｏｎ−ｄｕｒａｔｉｏｎ用Ｇａｐ区間であるか否かを判定する。ここで、前記Ｓｅｃｏｎｄａｒｙ  ＣＣは、上述の説明における第２キャリアに相当する。
【０１２８】
当該Ｓｕｂ−ｆｒａｍｅが、Ｓｅｃｏｎｄａｒｙ  ＣＣのＯｎ−ｄｕｒａｔｉｏｎの前後のＧａｐ区間である場合（ステップＳ６０２：ＹＥＳ）、無線基地局ｅＮＢは、当該UEに関するＰｒｉｍａｒｙ  ＣＣにおける下りリンクの送信や上りリンクの受信が発生しないようにスケジューリングを行う。（ステップＳ６０４）。ここで、前記Ｐｒｉｍａｒｙ  ＣＣは、上述の説明における第１キャリアに相当する。
【０１２９】
当該Ｓｕｂ−ｆｒａｍｅが、Ｓｅｃｏｎｄａｒｙ  ＣＣのＯｎ−ｄｕｒａｔｉｏｎの前後のＧａｐ区間でない場合（ステップＳ６０２：ＮＯ）、無線基地局ｅＮＢは、当該Ｓｕｂ−ｆｒａｍｅにおいて、当該移動局ＵＥに関して、通常通り、上りリンク、及び、下りリンクのスケジューリングを行う（ステップＳ６０６）。
【０１３０】
尚、上述した例においては、ＤＲＸ状態であるキャリアが第２キャリアのみであったが、代わりに、ＤＲＸ状態であるキャリアが複数存在してもよい。例えば、第１キャリアがＮｏｎ−ＤＲＸ状態であり、第２キャリアと第３キャリアがＤＲＸ状態であってもよい。この場合、前記第２キャリアと第３キャリアのＯｎ−ｄｕｒａｔｉｏｎは共通であってもよい。すなわち、複数のＤＲＸ状態であるコンポーネントキャリアが存在する場合、各コンポーネントキャリアのＯｎ−ｄｕｒａｔｉｏｎは共通であってもよい。
【０１３１】
尚、上述した例においては、移動局ＵＥ及び無線基地局ｅＮＢの動作として、セカンダリコンポーネントキャリアである第２キャリアがＤＲＸ状態である場合に、前記ＤＲＸのＯＮ区間（Ｏｎ−ｄｕｒａｔｉｏｎ）の前後をメジャメントギャップとみなす、という動作を示したが、代わりに、セカンダリコンポーネントキャリアである第２キャリアがＤｅ−ａｃｔｉｖａｔｅｄ状態、すなわち、有効化されていない状態である場合に、第２キャリアの測定のための測定区間が定義され、前記測定区間の前後をメジャメントギャップとみなす、という動作であってもよい。尚、この場合、前記測定区間の前後ではなく、前記測定区間の中の最初の区間と最後の区間がメジャメントギャップとみなされてもよい。尚、前記第２キャリアの測定のための測定区間は、ＤＲＸ制御におけるＯＮ区間（Ｏｎ−ｄｕｒａｔｉｏｎ）と同様に、第２キャリアがＤｅ−ａｃｔｉｖａｔｅｄ状態である場合のみ適用され、第２キャリアがＡｃｔｉｖａｔｅｄ状態である場合には適用されなくてもよい。
【０１３２】
すなわち、本実施形態に係る移動局、無線基地局、通信制御方法は、セカンダリコンポーネントキャリアがＤＲＸ状態である場合に限定されることはなく、セカンダリコンポーネントキャリアがＤｅ−ａｃｔｉｖａｔｅｄ状態である場合に適用されてもよい。あるいは、本実施形態に係る移動局、無線基地局、通信制御方法は、セカンダリコンポーネントキャリアがＤＲＸ状態である場合／Ｎｏｎ−ＤＲＸ状態である場合に限定されることはなく、セカンダリコンポーネントキャリアが常に通信を行う状態／間欠的に通信を行う状態である場合に適用されてもよい。ここで、間欠的に通信を行う、とは、例えば、間欠的に、制御信号のモニタリングやセルサーチ、メジャメントを行い、通常のデータ通信は行わない状態であってもよい。
【０１３３】
以下に、本実施形態における移動局ＵＥ、無線基地局ｅＮＢ、通信制御方法を適用することの効果を説明する。
【０１３４】
上述したように、ＤＲＸが適用されている第２キャリアのＯｎ−ｄｕｒａｔｉｏｎの前後の区間を、Ｍｅａｓｕｒｅｍｅｎｔ  ｇａｐと同等のギャップ区間と設定することにより、無線基地局ｅＮＢ及び移動局ＵＥが、第１キャリアの上りリンク及び下りリンクの通信を明示的に停止することが可能となり、移動局ＵＥが、無線基地局ｅＮＢの管理できない状態でパケットを欠落するという事象を回避することが可能となる。
【０１３５】
また、前記第２キャリアがＤＲＸ状態からＮｏｎ−ＤＲＸ状態に遷移した場合、前記Ｏｎ−ｄｕｒａｔｉｏｎも存在しないため、付随する前記ギャップ区間も存在しない。結果として、第１キャリアと第２キャリアの両方がＮｏｎ−ＤＲＸ状態である場合に、前記ギャップ区間によるスループットのロスを低減することが可能となる。
【０１３６】
また、従来のＭｅａｓｕｒｅｍｅｎｔ  ｇａｐに比べて、間欠受信制御の動作に適応したギャップ区間を定義することが可能となり、そのギャップ区間の大きさを最小限に低減することが可能となり、第１キャリアでのスループットを増大させることが可能となる。
【０１３７】
さらに、前記前後の区間の内、前の区間の大きさを大きくすることにより、移動局ＵＥは、Ｏｎ−ｄｕｒａｔｉｏｎの前にＰａｔｈ  ｌｏｓｓ等の測定を行うことが可能となり、Ｏｎ−ｄｕｒａｔｉｏｎにおける上りリンクの送信の送信電力の精度を向上させることが可能となる。
(変更例)
本発明に係る移動局ＵＥ、無線基地局ｅＮＢ、通信制御方法の変更例を以下に示す。
【０１３８】
本変更例においては、上述した、図５乃至図６に示した、Ｏｎ−ｄｕｒａｔｉｏｎ、及び、Ｏｎ−ｄｕｒａｔｉｏｎの前後の区間の代わりに、図１３に示す４つの区間から構成される、ＳＣＣ（Ｓｅｃｏｎｄａｒｙ  Ｃｏｍｐｏｎｅｎｔ  Ｃａｒｒｉｅｒ）用メジャメント区間が適用される。
【０１３９】
前記４つの区間は、時間的に先頭から、第１区間、第２区間、第３区間、第４区間と呼ばれてもよい。尚、前記ＳＣＣ用メジャメント区間に関しても、図５乃至図６に示したＯｎ−ｄｕｒａｔｉｏｎ、及び、Ｏｎ−ｄｕｒａｔｉｏｎの前後の区間と同様に、第２キャリアがＤＲＸ状態である場合のみ適用される。
【０１４０】
例えば、前記第１区間、第２区間、第３区間、第４区間の大きさは、それぞれ、２ｍｓ、４ｍｓ、５ｍｓ、２ｍｓであってもよい。あるいは、前記第１区間、第２区間、第３区間、第４区間の大きさは、上記以外の値であってもよい。
【０１４１】
前記ＳＣＣ用メジャメント区間の第１区間及び第４区間は、上述のＯｎ−ｄｕｒａｔｉｏｎの前後の区間と同等である。すなわち、前記第１区間、及び、第４区間は、移動局ＵＥの受信機が中心周波数等の切り替えを行う時間とみなされ、第１キャリアの通信は行われない。すなわち、前記第１区間及び第４区間は、メジャメントギャップとみなされて、第１キャリアの通信は行われない。すなわち、無線基地局ｅＮＢ及び移動局ＵＥは、前記第１区間、及び、第４区間においては、第１キャリアの通信を行わない。尚、前記第１区間、及び、第４区間においては、同様の理由で、第２キャリアの通信も行われない。
【０１４２】
前記ＳＣＣ用メジャメント区間の第２区間及び第３区間は、第１キャリアにとっては、上述のＯｎ−ｄｕｒａｔｉｏｎと同等である。この場合、前記第２区間、及び、第３区間は、移動局ＵＥの受信機としては図２の状態にあり、第１キャリアの通信は行われる。すなわち、無線基地局ｅＮＢ及び移動局ＵＥは、前記第２区間、及び、第３区間においては、第１キャリアの通信を行う。すなわち、前記第２区間及び第３区間は、第１キャリアにとってはメジャメントギャップではなく、通常の区間とみなされ、第１キャリアの通信は行われる。
【０１４３】
一方、前記ＳＣＣ用メジャメント区間の第２区間及び第３区間は、第２キャリアにとっても、上述のＯｎ−ｄｕｒａｔｉｏｎと同等である。しかしながら、第２キャリアがＤｅ−ａｃｔｉｖａｔｅｄ状態である場合、移動局ＵＥは、第２キャリアに関する測定、例えば、セルサーチやメジャメント、サービングセルとのパスロスの測定等を低頻度で行っており、通信を開始する前に再度前記第２キャリアに関する測定を行い、その精度を向上させ、通信の品質を上げることが望ましい。よって、前記ＳＣＣ用メジャメント区間の第２区間においては、移動局ＵＥにおいて第２キャリアの測定を行われ、移動局ＵＥと無線基地局ｅＮＢとの間で第２キャリアの通信は行われない。すなわち、無線基地局ｅＮＢ及び移動局ＵＥは、前記第２区間においては、第２キャリアの通信を行わない。そして、前記ＳＣＣ用メジャメント区間の第３区間において、第２キャリアの通信が行われる。すなわち、無線基地局ｅＮＢ及び移動局ＵＥは、前記第３区間においては、第２キャリアの通信を行う。尚、移動局ＵＥは、移動局ＵＥは、前記ＳＣＣ用メジャメント区間の第３区間においても、前記第２キャリアの測定を行ってもよい。
【０１４４】
すなわち、移動局ＵＥは、前記ＳＣＣ用メジャメント区間の第２区間において、第２キャリアのセルサーチやメジャメント、パスロスの測定を行い、かつ、第２キャリアにおいて上りリンクの送信も、下りリンクの受信も行わない。そして、移動局ＵＥは、前記ＳＣＣ用メジャメント区間の第３区間において、第２キャリアにおいて上りリンクの送信や下りリンクの受信を行う。また、無線基地局ｅＮＢは、前記ＳＣＣ用メジャメント区間の第２区間において、第２キャリアにおける上りリンクの受信も下りリンクの送信も行わず、前記ＳＣＣ用メジャメント区間の第３区間において、第２キャリアにおける上りリンクの受信や下りリンクの送信を行う。
【０１４５】
尚、下りリンクの通信に関しては、上述したパスロスの測定等が不要であるため、前記第２区間及び第３区間の両方において行われてもよい。この場合、前記第２区間においては、上りリンクの通信のみが行われない。すなわち、移動局ＵＥは、前記ＳＣＣ用メジャメント区間の第２区間において、第２キャリアのセルサーチやメジャメント、パスロスの測定と下りリンクの受信を行い、かつ、第２キャリアにおいて上りリンクの送信を行わない。そして、移動局ＵＥは、前記ＳＣＣ用メジャメント区間の第３区間において、第２キャリアにおいて上りリンクの送信と下りリンクの受信の両方を行う。また、無線基地局ｅＮＢは、前記ＳＣＣ用メジャメント区間の第２区間において、第２キャリアにおける下りリンクの送信を行い、かつ、上りリンクの受信を行わず、前記ＳＣＣ用メジャメント区間の第３区間において、第２キャリアにおける上りリンクの受信と下りリンクの送信の両方を行う。
【０１４６】
すなわち、変更例においては、前記Ｏｎ−ｄｕｒａｔｉｏｎがさらに２つに分割され、２つに分割された内の１つ目の区間が第２キャリアの測定のために用いられ、２つに分割された内の２つ目の区間が第２キャリアの通信のために用いられる。尚、第１キャリアに関しては、前記２つに分割された１つ目の区間と２つ目の区間の両方において、第１キャリアの通信が行われてもよい。また、前記第２キャリアの通信とは、上りスケジューリンググラントによりトリガーされる上りリンクのデータ信号の送信であってもよいし、下りスケジューリング情報により通知される下りリンクのデータ信号の送信であってもよい。すなわち、上りスケジューリンググラントや下りスケジューリング情報の送信の可否と前記ＳＣＣ用のメジャメント区間の第１区間、第２区間、第３区間、第４区間が定義されることにより、上述した、前記ＳＣＣ用のメジャメント区間における通信の可否が設定されてもよい。
【０１４７】
以上に述べた本実施形態の特徴は、以下のように表現されていてもよい。
【０１４８】
（項目１）
２つ以上のキャリアを用いて無線基地局と通信を行う移動局であって、
前記２つ以上のキャリアは、間欠受信状態ではないキャリアと間欠受信状態であるキャリアとにより構成される場合に、
前記間欠受信状態ではないキャリアと通信を行う第１通信部と、
前記間欠受信状態であるキャリアと通信を行う第２通信部とを具備し、
前記第１通信部は、前記間欠受信状態であるキャリアのオン区間の前後の区間をメジャメントギャップとみなすように構成されていることを特徴とする移動局。
【０１４９】
（項目２）
前記第１通信部は、
前記間欠受信状態ではないキャリアにおいて、下りリンクの受信を行う第１下りリンク受信部と、
前記間欠受信状態ではないキャリアにおいて、上りリンクの送信を行う第１上りリンク送信部と、
前記間欠受信状態ではないキャリアにおいて、メジャメントを行う第１メジャメント部と、
前記間欠受信状態ではないキャリアにおいて、無線リンクのモニタリングを行う第１モニタリング部とを具備するように構成され、
前記第２通信部は、
前記間欠受信状態であるキャリアにおいて、下りリンクの受信を行う第２下りリンク受信部と、
前記間欠受信状態であるキャリアにおいて、上りリンクの送信を行う第２上りリンク送信部と、
前記間欠受信状態であるキャリアにおいて、メジャメントを行う第２メジャメント部と、
前記間欠受信状態であるキャリアにおいて、無線リンクのモニタリングを行う第２モニタリング部とを具備するように構成されていることを特徴とする項目１に記載の移動局。
【０１５０】
（項目３）
前記間欠受信状態ではないキャリアとは、
間欠受信制御に関連するパラメータが設定されていない状態、あるいは、
間欠受信制御に関連するパラメータが設定され、かつ、間欠受信制御のためのタイマーが動作している状態、あるいは、
間欠受信制御に関連するパラメータが設定され、かつ、スケジューリングリクエストがペンディングされている状態、あるいは、
間欠受信制御に関連するパラメータが設定され、かつ、上りリンクのＨＡＲＱの再送タイミングである状態、あるいは、
間欠受信制御に関連するパラメータが設定され、かつ、指定されたプリアンブルに対するランダムアクセスリスポンスの受信の後に、自局宛の新規送信のための下りリンクの制御信号を受信していない状態、
の内の少なくとも１つの状態にあるキャリアであり、
前記間欠受信状態であるキャリアとは、上記以外の状態にあるキャリアであることを特徴とする項目１に記載の移動局。
【０１５１】
（項目４）
前記メジャメントギャップとは、
異なる周波数のキャリアや異なる無線通信システムのキャリアを測定するために設けられる時間区間であることを特徴とする項目１に記載の移動局。
【０１５２】
（項目５）
前記第１通信部は、
前記オン区間の前後の区間において、前記間欠受信状態ではないキャリアにおける通信を行わないことを特徴とする項目１に記載の移動局。
【０１５３】
（項目６）
前記第１上りリンク送信部は、
前記オン区間の前後の区間において、前記間欠受信状態ではないキャリアにおける上りリンクの送信を行わないことを特徴とする項目２に記載の移動局。
【０１５４】
（項目７）
前記オン区間の前後の区間に関して、
前記オン区間の前の区間の長さは、前記オン区間の後の長さよりも大きいことを特徴とする項目１に記載の移動局。
【０１５５】
（項目８）
２つ以上のキャリアを用いて無線基地局と通信を行う移動局における通信制御方法であって、
前記２つ以上のキャリアは、間欠受信状態ではないキャリアと間欠受信状態であるキャリアとにより構成される場合に、
前記間欠受信状態ではないキャリアと通信を行う第１ステップと、
前記間欠受信状態であるキャリアと通信を行う第２ステップとを備え、
前記第１ステップにおいて、前記間欠受信状態であるキャリアのオン区間の前後の区間をメジャメントギャップとみなすように構成されていることを特徴とする通信制御方法。
【０１５６】
（項目９）
２つ以上のキャリアを用いて移動局と通信を行う無線基地局であって、
前記２つ以上のキャリアは、間欠受信状態ではないキャリアと間欠受信状態であるキャリアとにより構成される場合に、
前記間欠受信状態ではないキャリアと通信を行う第１通信部と、
前記間欠受信状態であるキャリアと通信を行う第２通信部とを具備し、
前記第１通信部は、前記間欠受信状態であるキャリアのオン区間の前後の区間をメジャメントギャップとみなすように構成されていることを特徴とする無線基地局。
【０１５７】
（項目１０）
前記第１通信部は、
前記間欠受信状態ではないキャリアにおいて、下りリンクの送信を行う第１下りリンク送信部と、
前記間欠受信状態ではないキャリアにおいて、上りリンクの受信を行う第１上りリンク受信部とを具備するように構成され、
前記第２通信部は、
前記間欠受信状態であるキャリアにおいて、下りリンクの送信を行う第２下りリンク送信部と、
前記間欠受信状態であるキャリアにおいて、上りリンクの受信を行う第２上りリンク受信部とを具備するように構成されていることを特徴とする項目９に記載の無線基地局。
【０１５８】
（項目１１）
前記第１通信部は、
前記オン区間の前後の区間において、前記間欠受信状態ではないキャリアにおける通信を行わないことを特徴とする項目９に記載の無線基地局。
【０１５９】
（項目１２）
前記第１下りリンク送信部は、
前記オン区間の前後の区間において、前記間欠受信状態ではないキャリアにおける通信が行われないように、上りリンク及び下りリンクのスケジューリングを行うことを特徴とする項目９に記載の無線基地局。
【０１６０】
（項目１３）
前記オン区間の前後の区間に関して、
前記オン区間の前の区間の長さは、前記オン区間の後の長さよりも大きいことを特徴とする項目９に記載の無線基地局。
【０１６１】
（項目１４）
２つ以上のキャリアを用いて移動局と通信を行う無線基地局における通信制御方法であって、
前記２つ以上のキャリアは、間欠受信状態ではないキャリアと間欠受信状態であるキャリアとにより構成される場合に、
前記間欠受信状態ではないキャリアと通信を行う第１ステップと、
前記間欠受信状態であるキャリアと通信を行う第２ステップとを備え、
前記第１ステップにおいて、前記間欠受信状態であるキャリアのオン区間の前後の区間をメジャメントギャップとみなすことを特徴とする通信制御方法。
【０１６２】
（項目１５）
２つ以上のキャリアを用いて無線基地局と通信を行う移動局であって、
前記２つ以上のキャリアは、間欠受信状態ではないキャリアと間欠受信状態であるキャリアとにより構成される場合に、
前記間欠受信状態ではないキャリアと通信を行う第１通信部と、
前記間欠受信状態であるキャリアと通信を行う第２通信部とを具備し、
前記第２通信部は、前記間欠受信状態であるキャリアのオン区間の前後の区間をメジャメントギャップとみなし、かつ、前記間欠受信状態であるキャリアのオン区間の前の区間において、前記間欠受信状態であるキャリアに関するメジャメントを行うように構成されていることを特徴とする移動局。
【０１６３】
なお、上述の移動局ＵＥや無線基地局ｅＮＢの動作は、ＬＴＥ−Ａｄｖａｎｃｅｄが適用されるシステム以外の移動局や無線基地局及び制御局に適用されてもよい。例えば、ＬＴＥやＷＣＤＭＡ（登録商標）、ＣＤＭＡ２０００やＷｉＭＡＸにおける移動局や無線基地局及び制御局に適用されてもよい。
【０１６４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１６８】
ＵＥ…移動局
１０２…第１通信部
１０２Ａ…第１下りリンク受信部
１０２Ｂ…第１上りリンク送信部
１０２Ｃ…第１測定部
１０４Ａ…第２下りリンク受信部
１０４Ｂ…第２上りリンク送信部
１０４Ｃ…第２測定部
１０６…ＤＲＸ制御部
１０８…ギャップ制御部
ｅＮＢ…無線基地局
２０２Ａ…第１下りリンク送信部
２０２Ｂ…第１上りリンク受信部
２０４Ａ…第２下りリンク送信部
２０４Ｂ…第２上りリンク受信部
２０６…ＤＲＸ制御部
２０８…ギャップ制御部
【図１】
0005844876.tif 000002
【図２】
0005844876.tif 000003
【図３】
0005844876.tif 000004
【図４】
0005844876.tif 000005
【図５】
0005844876.tif 000006
【図６】
0005844876.tif 000007
【図７】
0005844876.tif 000008
【図８】
0005844876.tif 000009
【図９】
0005844876.tif 000010
【図１０】
0005844876.tif 000011
【図１１】
0005844876.tif 000012
【図１２】
0005844876.tif 000013
【図１３】
0005844876.tif 000014